(57)【要約】【課題】間柱を千鳥配置に備えさせた遮音間仕切り壁でありながら、該壁を形成するのに用いられるパネルの製作を容易に行うことができる、千鳥間柱の間仕切り壁の構造を提供する。【解決手段】間柱６…を備えた一方の面側のパネル２と、同じく間柱６…を備えたもう一方の面側のパネル３とに分割され、両分割パネル２，３が組み合わされて、前記間柱６…，６…が千鳥に配置されている。【選択図】      図１
2005105633.tif 000002
【特許請求の範囲】
【請求項１】
間柱を備えた一方の面側のパネルと、同じく間柱を備えたもう一方の面側のパネルとに分割され、
両分割パネルが組み合わされて、前記間柱が千鳥に配置されていることを特徴とする千鳥間柱の間仕切り壁の構造。
【請求項２】
各面側において、スパン方向に複数の分割パネルが並べられ、各面側の各パネルにおける中間間柱及び最側部の間柱が、パネルを合わせた状態で互いに重ならないように配列されている請求項１に記載の千鳥間柱の間仕切り壁の構造。
【請求項３】
前記分割パネル間にブレースが入れられている請求項１又は２に記載の千鳥間柱の間仕切り壁の構造。
【発明の詳細な説明】
【技術分野】
【０００１】
本発明は、千鳥間柱の間仕切り壁の構造に関する。
【背景技術】
【０００２】
図５（イ）に示すように、複数本の間柱５１，５１が千鳥に配置されて備えられた間仕切り壁パネル５２を設置し、図５（ロ）に示すように、該間仕切り壁パネル５２の表裏両面に石膏ボードなどの壁面材５３，５３を取り付け、各間柱５１…がいずれか一方の壁用面材５３に下地となって接合され、もう一方の壁用面材５３とは非接触状態となるようにして、壁の遮音性を高めるようにした千鳥間柱の遮音間仕切り壁５４は、従来より提供されている。
【発明の開示】
【発明が解決しようとする課題】
【０００３】
しかしながら、一つの間仕切り壁パネル５２において、一方の側に偏らせた間柱５１…と、もう一方の側に偏らせた間柱５１…とを併存させる構造では、間仕切り壁パネル５２の製作に手間を要するという問題がある。
【０００４】
本発明は、上記のような問題点に鑑み、間柱を千鳥配置に備えさせた遮音間仕切り壁でありながら、該壁を形成するのに用いられるパネルの製作を容易に行うことができる、千鳥間柱の間仕切り壁の構造を提供することを課題とする。
【課題を解決するための手段】
【０００５】
上記の課題は、間柱を備えた一方の面側のパネルと、同じく間柱を備えたもう一方の面側のパネルとに分割され、
両分割パネルが組み合わされて、前記間柱が千鳥に配置されていることを特徴とする千鳥間柱の間仕切り壁の構造によって解決される。
【０００６】
この構造では、間柱が千鳥状に配置されているので、変わらない遮音性能を発揮することができる。しかも、この間仕切り壁は、一方の面側のパネルともう一方の面側のパネルとに分割され、両パネルを組み合わせて、間柱が千鳥に配置されるようになされたものであるから、各分割パネルの製作において、その分割パネルに備えられる間柱を千鳥に配置する必要がなく、そのため、各分割パネルの製作を容易に行うことができる。
【０００７】
また、各面側において、スパン方向に複数の分割パネルが並べられ、各面側の各パネルにおける中間間柱及び最側部の間柱が、パネルを合わせた状態で互いに重ならないように配列されている場合は、スパンの長い千鳥間柱間仕切り壁において、スパン方向の中間部で、一方の面側の壁用面材ともう一方の面側の壁用面材との両方に接触状態となる間柱をなくすことができて、高い遮音性能を発揮するスパンの長い千鳥間柱間仕切り壁を実現することができる。
【０００８】
また、前記分割パネル間にブレースが入れられている場合は、千鳥間柱の間仕切り壁による耐力壁を施工容易に実現することができる。
【発明の効果】
【０００９】
本発明は、以上のとおりのものであるから、間柱を千鳥配置に備えさせた遮音間仕切り壁でありながら、該壁を形成するのに用いられるパネルの製作を容易に行うことができる。
【発明を実施するための最良の形態】
【００１０】
次に、本発明の実施最良形態を図面に基づいて説明する。
【００１１】
図１及び図２に示す第１実施形態の千鳥間柱の間仕切り壁１において、２は一方の面側の分割パネル、３はもう一方の面側の分割パネル、４，４は石膏ボードなどの壁用面材である。
【００１２】
本実施形態では、一方の面側の分割パネル２と、もう一方の面側の分割パネル３とが、同じものからなっている。即ち、各パネル２，３は、最側部の間柱５，５と上下の横材７，７とで方形環状に組まれ、環内に複数本の中間間柱６…が上下の横７，７間にわたすように間隔的に備えられている。各パネル２，３において、中間間柱６…は、千鳥には配置されてはおらず、ただ、両パネル２，３を合わせるように組み合わせたときに、一方のパネル２の中間間柱６…と、もう一方のパネル３の中間間柱６…とが重ならないように特定の決められた間隔配置で備えられているだけである。従って、各分割パネル２，３の製作は、間柱が千鳥の配置になっていない普通の間仕切り壁パネルを製作するのと同じ要領で製作することができる。
【００１３】
上記の分割パネル２，３を用い、図１（イ）に示すように、他の壁１０，１０等の間で、両分割パネル２，３を合わせるように組み合わせて設置すれば、図１（ロ）に示すように、各パネル２，３に備えられている中間間柱６…，６…が互いに千鳥の配置となり、両側から壁用パネル４，４を取り付ければ、千鳥間柱の間仕切り壁１が形成される。
【００１４】
このように、上記の間仕切り壁１では、間柱６…，６…が千鳥状に配置されているので、従来の千鳥間柱の間仕切り壁と変わらない遮音性能を発揮することができ、しかも、この間仕切り壁１を構成する両分割パネル２，３の製作において、各パネルに備えられる中間間柱６…、６…を千鳥状の配置にしなくてもよいので、各分割パネル２，３を容易に製作することができる。
【００１５】
図３に示す第２実施形態の間仕切り壁１は、各面側において、スパン方向に複数の分割パネル２…、３…が並べられ、各面側の各パネル２，３における中間間柱６及び最側部の間柱５が、パネル２…，３…を合わせた状態で互いに重ならないように配列されているものである。なお、間仕切り壁１において、最側部の間柱は重なるようにしても遮音性を損ねることはないので、重なるようにしてもよいし、重ならないようにしてもよい。
【００１６】
この間仕切り壁１の構造では、壁のスパンが長い場合において、スパン方向の中間部で、一方の面側の壁用面材４ともう一方の面側の壁用面材４との両方に接触状態となる間柱をなくすことができ、高い遮音性能を発揮するスパンの長い千鳥間柱の間仕切り壁１を実現することができる。
【００１７】
図４に示す第３実施形態の間仕切り壁１は、分割パネル２，３間にブレース８が入れられて耐力壁に構成されている。なお、ブレース８を入れる空間を確保するため、最側部の間柱５，５が壁内方向に突出しているが、このことが、各分割パネル２，３の製作容易性を妨げる要因とはならない。即ち、壁用面材４の取り付けられる側の面においては、最側部の間柱５，５も中間間柱６…も面一であってよく、従って、そのような分割パネルであっても容易に製作することができる。
【図面の簡単な説明】
【００１８】
【図１】図（イ）及び図（ロ）はそれぞれ、第１実施形態の間仕切り壁の構造を示す断面平面図である。
【図２】分割パネルの分割した状態で示す斜視図である。
【図３】図（イ）及び図（ロ）はそれぞれ、第２実施形態の間仕切り壁の構造を示す断面平面図である。
【図４】図（イ）及び図（ロ）はそれぞれ、第３実施形態の間仕切り壁の構造を示す断面平面図である。
【図５】図（イ）及び図（ロ）はそれぞれ、従来の間仕切り壁の構造を示す断面平面図である。
【符号の説明】
【００１９】
１…千鳥間柱の間仕切り壁
２…一方の面側のパネル
３…もう一方の面側のパネル
６…中間間柱
８…ブレース
【図１】
2005105633.tif 000003
【図２】
2005105633.tif 000004
【図３】
2005105633.tif 000005
【図４】
2005105633.tif 000006
【図５】
2005105633.tif 000007